(57)【要約】本発明は、文書化された医用画像情報を作るための方法に関し、この医用画像情報は第１の場所から第２の場所へ伝送するため機械読取り可能な記憶媒体（１０）に記憶される。本方法は医用画像情報の選択、選択された医用画像情報についての説明の記録、並びに画像情報および説明を共通に再生し得るように画像情報と説明との結合を含み、医用画像情報および説明が機械読取り可能な記憶媒体（１０）に記憶される。
2004522530.tif 000002
【特許請求の範囲】
【請求項１】
文書化された医用画像情報を作り、第１の場所から第２の場所へ伝送するために文書化された医用画像情報を記憶するための方法において、
−医用画像情報を選択するステップと、
−選択された医用画像情報についての説明を記録するステップと、
−医用画像情報および説明が共通に再生可能であるように、医用画像情報を説明と結  び付けるステップと、
−医用画像情報および医用画像情報についての説明を機械読取り可能な記憶媒体に記憶するステップと、
−説明が医用画像情報に挿入可能なグラフィックな標識（５０）を含み、医用画像情報に対して相対的なグラフィックな標識（５０）の動きに対するパラメータが医用画像情報の再生の際に予め定められ、かつ記憶され得るステップと
を含むことを特徴とする文書化された医用画像情報の構成方法。
【請求項２】
医用画像情報および（または）説明を再生するために適した少なくとも１つのコンピュータプログラムが指示され得ることを特徴とする請求項１記載の方法。
【請求項３】
医用画像情報および（または）説明を再生するために適した少なくとも１つのコンピュータプログラムが選択され、医用画像情報および医用画像情報についての説明と一緒に機械読取り可能な記憶媒体に記憶され得ることを特徴とする請求項１記載の方法。
【請求項４】
説明が書かれた語を含んでいることを特徴とする請求項１ないし３のいずれか１つに記載の方法。
【請求項５】
説明が、再生可能なオーディオデータセットとして記録される語られた語を含んでいることを特徴とする請求項１ないし４のいずれか１つに記載の方法。
【請求項６】
説明が、医用画像情報の少なくとも１部分（５７、５８）の表示の動的な変化を含んでいることを特徴とする請求項１ないし５のいずれか１つに記載の方法。
【請求項７】
医用画像情報の少なくとも１部分（５７、５８）の表示の動的な変化に対するパラメータが医用画像情報のグラフィックな再生のために設定可能であることを特徴とする請求項６記載の方法。
【請求項８】
説明が一連の医用画像情報を含んでいることを特徴とする請求項１ないし７のいずれか１つに記載の方法。
【請求項９】
パラメータが一連の医用画像情報のグラフィックな再生のために設定可能であることを特徴とする請求項８記載の方法。
【請求項１０】
記憶すべき医用画像情報の選択のため、医用画像情報についての説明の記録のため、および場合によってはコンピュータプログラムの選択のため、少なくとも操作機能“開始”、“停止”および“終了”を含む操作要素が設けられていることを特徴とする請求項１ないし９のいずれか１つに記載の方法。
【請求項１１】
医用画像情報および（または）説明のグラフィックな再生のためのコンピュータプログラムが、少なくとも操作機能“開始”、“停止”、“進み”、“戻り”および“中断”を含む再生のための操作要素を有することを特徴とする請求項２ないし１０のいずれか１つに記載の方法。
【請求項１２】
機械読取り可能な記憶媒体がＣＤ-ＲＯＭであることを特徴とする請求項１ないし１１のいずれか１つに記載の方法。
【発明の詳細な説明】
【技術分野】
【０００１】
本発明は、文書化された医用画像情報を作り、第１の場所から第２の場所へ伝送するために文書化された医用画像情報を記憶するための方法に関する。
【０００２】
医用技術では、大きなデータ量の医用画像情報がある場所から他の場所へ伝送されなければならないという問題がしばしば生ずる。このような状況はたとえば、一般医が患者を放射線検査のために放射線医にまわすときに存在する。放射線医は患者の検査の過程で患者の医用画像情報を作り、この医用画像情報を放射線医は一般医による患者のその後の処置のために医師報告と共にその患者をまわした一般医に送る。一般に医用画像情報は放射線医によりＸ線フィルム上に記録される。しかしＸ線フィルムは、フィルム１枚あたり約１０ＤＭの平均的価格により比較的高価であるという欠点を有する。さらに画像情報は白／黒でのみ存在し、医用画像情報を説明するためたかだか静的でグラフィックな付加情報、たとえば矢印を設けることができるだけである。従って重要な診断上の情報は通常別個に作成された医師報告に記録されなければならない。
【０００３】
独国特許第 100 08 054 A1号明細書から、医用画像を１つの場所から他の場所へ伝送し得るように、医用画像をＣＤ-ＲＯＭ上に記憶することは確かに知られている。しかし、それでもなお医師報告の形での画像のドキュメンテーションを別個に作成することが必要である。さらに、画像フォーマットおよびそのＣＤ-ＲＯＭへの記憶に関して言えば、放射線医が患者をまわした一般医とは異なるソフトウェアで作業し、従って患者をまわした一般医が医用画像情報を再生するための適切なソフトウェアを利用し得ないという困難が生じる。
【０００４】
独国特許第44 15 818 C2号明細書には、ＥＤＶシステムに検査システムをディジタルに統合するための装置が記載されている。この装置により、検査システムにより得られた画像情報に、画像情報と一緒に記憶することができるトーンデータおよびテキストデータを記録することができる。画像データ、トーンデータおよびテキストデータはそれによりその後の時点で再生することができる。
【０００５】
米国特許第 6,140,936 A号明細書から、テキストデータ、画像ならびにマルチメディア  オーディオデータおよびビデオデータを記憶し得る医用データのための電子的なメモリ媒体が知られている。
【０００６】
特開平04-285540号公報には、医用画像に画像の解析データを対応付け、画像と一緒に表示し得る装置が記載されている。
【０００７】
本発明の課題は、冒頭にあげた種類の方法であって、具象的に文書化された医用画像情報を構成することを可能にし、文書化された医用画像情報の簡単かつ便利な再生のための前提条件を作る方法を提供することである。
【０００８】
この課題は本発明によれば請求項１による方法により解決される。本発明によれば、文書化された医用画像情報を作るため、かつ第１の場所から第２の場所へ伝送するために文書化された医用画像情報を記憶するため、たとえば医用画像情報を作る医師に、必要であれば医用画像情報を選択し、また医用画像情報に説明を付ける可能性が与えられ、医用画像情報および説明は、それらが共通に、好ましくは同時に、再生され得るように、互いに結び付けられるように構成されている。説明は、医用画像情報に挿入可能な、たとえば矢印であってよい少なくとも１つのグラフィックな標識を含んでいる。グラフィックな標識はグラフィックな標識のグラフィックな再生に対するパラメータの設定および記憶により、医用画像情報の再生の際に医用画像情報に対して相対的に動かすことができる。それにより医用画像情報についての説明をより具象的かつ簡明的確に行うことができる。
【０００９】
さらに、医用画像情報および説明を簡単に第１の場所から第２の場所へ運ばれ得る機械読取り可能な記憶媒体に記憶するように構成されている。こうして本発明の利点は、医用画像情報を機械読取り可能な記憶媒体に記憶し得るだけでなく、この医用画像情報に少なくとも１つの十分な説明を付けること、または結び付けることができ、その結果結び付けにより便利に共通に再生することができることにある。それにより、文書化された医用画像情報の簡単かつ便利な再生のための前提条件が作られている。なぜならば、結び付けの結果として、画像情報に付属の説明を開始するため例えば画像情報の再生のみを開始するだけでよいからである。好ましくは、結び付けはいわゆる論理的ポインタにより行われる、すなわち画像情報に対応付けられている論理的ポインタが説明を表示し、その結果画像情報の再生の際に説明も再生される。このようにして医師報告を別個に作成することが省略可能となる。
【００１０】
本発明の実施形態では、文書化された医用画像情報を作る際に医用画像情報および（または）説明を再生するために適した少なくとも１つのコンピュータプログラムが指示または選択され得るように構成されており、選択されたコンピュータプログラムは機械読取り可能な記憶媒体にも記憶される。機械読取り可能な記憶媒体に医用画像情報および（または）説明を再生するための少なくとも１つの適切なコンピュータプログラムの指示及び特に用意により、たとえば患者をまわした医師における再生に関してはソフトウェア問題は生じない。場合によっては画像情報の再生のために第１のコンピュータプログラムが、また説明の再生のために第２のコンピュータプログラムが必要である。この場合にも、たとえば画像情報に対応付けられる、結び付けを作る論理的ポインタが説明を指し示し、説明の開始により説明の再生のためのコンピュータプログラムも開始される。画像情報および説明は通常データセットとして存在している。
【００１１】
本発明の変形形態では、説明は書かれた語及び話された語又はそのいずれか一方を含んでおり、話された語は再生可能なオーディオデータセットとして記録される。書かれた語は直接にたとえば計算機に接続されているキーボードを介して入力され、所属の画像情報または画像情報を含んでいる画像データセットに対応付けられるか、または付加され得る。しかし又、マイクロホンにより、記録され話された語をそれ自体は公知の言語認識システムを使用して、画像情報を含んでいる画像データセットに付加されるか、または論理的ポインタを用いて対応付けられる書かれた語に変換することも可能である。マイクロホンの使用はオーディオデータセット上に話された語を含んでいる説明を記録するためにも考慮に値する。医用画像情報の再生の際に、これらのオーディオデータセットに記録された語は、たとえば患者をまわす一般医のところでスピーカを用いて再生され得る。
【００１２】
本発明の実施形態では、説明が、医用画像情報の少なくとも１部分の表示の動的な変化を医用画像情報のグラフィックな再生のために含んでおり、また動的な変化に対するパラメータが設定可能であるようになっている。このようなパラメータはたとえば画像再生装置上のいわゆるウインドウに表示される画像情報の色ニュアンスの時間的な変化ならびにウインドウの大きさに対する値およびいわゆるズーム値又はそのいずれか一方を含んでいる。このようにしても、記録された医用画像情報は、特に医用画像情報に含まれている特殊性を指摘するため、簡明かつ具象的に表示され得る。
【００１３】
本発明の他の実施形態では、説明が一連の医用画像情報を含んでおり、また一連の医用画像情報のグラフィックな再生のためのパラメータが設定可能である。すなわち１つの医用画像情報だけでなく一連の医用画像情報全体が記録されているならば、このようなパラメータセットの設定により医用画像情報のいわゆる映画再生が行われ得る。ここで映画再生とは、フィルムが進行するような印象を生ずるように短い時間間隔で次々と続く種々の医用画像情報の再生を意味する。このようなパラメータセットのパラメータはたとえば再生すべき画像情報の数および順序ならびに２つの次々と続く画像情報の再生の間に存在する時間を含んでいる。
【００１４】
本発明の他の変形形態によれば、記憶すべき医用画像情報を選択するため、医用画像情報の説明を記録するため、また場合によってはコンピュータプログラムを選択するための操作要素が設けられており、これらの操作要素は少なくとも操作機能“開始”、“停止”および“終了”を含んでいる。さらに、本発明の他の変形形態によれば、医用画像情報及び／又は少なくとも操作機能“開始”、“停止”、“進み”、“戻り”および“中断”を含む再生のための操作要素の説明のグラフィックな再生のためのコンピュータプログラムを備えるようになっている。このような操作要素はたとえばコンピュータプログラムのグラフィックなユーザーインタフェース上にいわゆる“ボタン”の形態で実現されていてよく、ここでボタンとは例えばコンピュータマウスのポインタを使用して能動化可能または不能動化可能なスイッチとして理解される。
【００１５】
本発明の１つの実施例が添付の概要図に示されている。
【００１６】
図１に示されている医用装置はこの実施例では、文書化された画像情報を作るための装置２を有する磁気共鳴装置１である。装置２はこの実施例の場合には計算機３を備え、計算機３は、表示装置４と、ハードディスク５の形のデータメモリと、計算機３のインタフェースに接続されているキーボード６およびコンピュータマウス７の形の入力手段と、計算機３のインタフェースに接続されているマイクロフォン８と、計算機３のインタフェースに接続されているスピーカ１１とを有する。装置２はさらに、計算機３のインタフェースに接続されている、ＣＤ-ＲＯＭ１０にデータを書き込むための装置９を含んでいる。計算機３の上述のインタフェースはそれ自体は公知のインタフェースであり、従って詳細には説明されない。
【００１７】
この実施例の場合には、磁気共鳴装置１および装置２は専門医診療所の構成部分であり、また、専門医に患者をまわした医師に患者のその後の処置のために提供するために、患者の医用画像を取得し、これを文書化し、ＣＤ-ＲＯＭに記憶するために、設けられている。図２には典型的な形態で本発明の方法による文書化された画像情報の構成の進行過程が流れ図の形態で示されている。
【００１８】
先ず、図１には示されていない専門医が、いわゆる走査で磁気共鳴装置１により文書化された医用画像情報を作るため同じく図１には示されていない患者から磁気共鳴画像の形の医用画像情報を発生させる。これらの画像はそれらの発生の後に計算機３のハードディスク５に記憶され、専門医により目を通され、適切なそれ自体は公知の画像処理ソフトウェアによりモディファイかつ評価される。この段階で専門医は、画像のどれを診断のために使用し、文書化し、他の医師への伝達のためにＣＤ-ＲＯＭに記憶したらよいかを判断する。
【００１９】
画像を文書化するため専門医は文書化された医用画像情報を作るためのコンピュータプログラムを開始する。このコンピュータプログラムはたとえば図３に示されているボタン“開始”を有する開始ページを有する。専門医が図３中に示されているコンピュータマウス７に対応付けられているポインタ２０をコンピュータマウス７によりボタン“開始”上に移動し、コンピュータマウス７により能動化してボタン“開始”を押すと、操作要素等によりメニュー点“停止”、“終了”、“付加”、“患者データの入力”、“画像の選択”、“画像についての文字による説明”、“画像についての音による説明”“画像再生のためのパラメータ”、“フィルム再生”、“画像再生のためのコンピュータプログラムの選択”、および“ＣＤ-ＲＯＭへの記憶”を有する図４に示されている第２のページに到達する。
【００２０】
記録を開始するため専門医はコンピュータマウス７によりメニュー点“患者データの入力”を選択し、専門医は明示されていないウインドウに到達する。このウインドウにおいて専門医は計算機３のキーボード６を介して検査される患者の個人データおよびその他の検査に関するデータを入力することができる。これらのデータは患者に対応付けられている記録データセットに記憶されるか、またはデータセットに記憶されて記録リストに付加される。専門医は可能な両変形形態においてボタン“付加”を押すことにより入力を終了する。
【００２１】
以下では、情報がデータセット形態で記録リストに格納されることから出発する。
【００２２】
ボタン“画像の選択”を押すことにより専門医は記録リストのために用意された第１の画像を、先に記録された画像が記憶されているリストから選択することができる。この実施例において専門医は第１の画像に対して話された説明を記録したいものとする。そのために専門医はコンピュータマウス７を用いてボタン“画像についての音による説明”の能動化により話された語に対する記録モードに切換え、計算機３に接続されているマイクロフォン８を使用して第１の画像についての彼の説明を第１の画像に対応付けられるオーディオデータセットに記録する。この記録モードは専門医に、音による語の記録を開始し、中断し、補正を実行し、また終了するため、相応の操作機能を提供する。説明の終了後に、画像データセットとして存在する第１の画像およびそれに付属のオーディオデータセットがボタン“付加”の能動化により記録リストに付加される。このオペレーションの過程で計算機３がオーディオデータセットを論理的ポインタを用いて、画像データセットに対応付けられているポインタがオーディオデータセットを指し示すことによって、第１の画像の画像データセットと結び付け、その結果第１の画像の再生の際に自動的にそれに所属の説明が再生される。データセットの結合は、専門医に対して登録可能ではないがそれ自体知られている仕方で行われる。
【００２３】
この実施例においては、専門医はその後に相応の仕方で第１の画像の際のように第２の画像を作られた画像のリストから選択する。この第２の画像に専門医は、第２の画像の再生の間第２の画像の第１の画像内容を経てスライドすべき矢印５０を補いたいものとする。加えて、専門医は第２の画像の再生の間に、第２の画像の第１の画像内容の色が変わり、第２の画像内容がズームされるようにしたいものとする。そのために専門医はボタン“画像再生に対するパラメータ”を能動化し、それに基づいて専門医は同じく示されていない入力マスクに到達し、そのなかで専門医は矢印５０を選択し、また矢印５０の方向、矢印５０の出発位置、第２の画像を経ての矢印５０の終端位置および第２の画像についての矢印５０の出発位置から矢印５０の終端位置への曲線経過ならびに矢印５０が曲線経過に沿って出発位置から終端位置に到達すべき経過時間を入力することができる。さらに専門医は色が変わるべき第１の画像内容およびズームされるべき第１の画像内容を選択することができる。その際に専門医は、どのようにして、またどの時間に第１の画像内容の色が変わるか、またはどの尺度で、どの時間に第２の画像内容がズームされるべきかを入力することができる。専門医が矢印５０のグラフィックな再生に対するパラメータおよび第２の画像の再生の際の第２の画像の動的な変化に対するパラメータを確定する前に、専門医は３つのパラメータセットの作用を１つの検査過程で検査し得る。続いて第２の画像、矢印の運動に対するパラメータセット、第１の画像内容の色の変化に対するパラメータセットならびに第２の画像内容のズームに対するパラメータセットが、ボタン“付加”を押すことにより記録リストにそれぞれデータセットの形態で付加され、その際に同じく第２の画像の画像データセットと３つのパラメータデータセットとの結び付けが論理的ポインタを用いて計算機３により行われる。
【００２４】
第１および第２の画像に追加して専門医はこの実施例において複数個の先に作られた画像を、画像が記憶されているリストから選択する。専門医は画像を、それらがフィルムの形式で再生され得るように、すなわち画像が再生の際に短い時間間隔で次々と続いて表示され得るように、記憶したいものとする。そのために専門医はボタン“フィルム再生”を能動化し、その際に専門医は図示されていない入力マスクに到達し、そのなかで専門医は再生すべき画像の数、画像の順序ならびに画像が再生の際に指示されるべき時間間隔を入力することができる。専門医がこれらのパラメータを決定する前に、専門医は映画再生の検査ランを実行することができる。専門医が選択されたパラメータを適当と感じれば、専門医はパラメータを決定する。さらに専門医は映画作動に文字による説明を与えたいものとする。そのために専門医はボタン“画像についての文字による説明”を能動化し、それに基づいて専門医は図示されていない入力マスクに到達し、そのなかで専門医はたとえば計算機３のキーボード６を介して個々の画像、画像の列、ならびに映画再生についての相応の説明を入力することができる。続いて専門医は、既に先に説明されたように、ボタン“付加”の能動化により画像の列の個々の画像、画像のフィルム再生のためのパラメータセットならびに画像についての文字による説明を記録リストにデータセット形態で付加する。データセットの結び付けは再び計算機３により論理的なポインタを用いて行われる。
【００２５】
その後のステップで専門医はこの実施例においてはボタン“画像再生のためのプログラムを選択”を能動化し、それに基づいて専門医は図示されていない入力マスクに到達し、そのなかで専門医に画像の再生のための複数の適切なコンピュータプログラムならびにその説明が提供され、それらを専門医は文字による形態、音による形態またはグラフィック形態で渡し、記録リストにデータセット形態で付加したものである。それから専門医は再生のために必要なコンピュータプログラムを選択し、これらをボタン“付加”の能動化により記録リストに付加する。この段階で、機械読取り可能なメモリ媒体に記憶されるべきすべての情報が存在している。専門医はその後に機械読取り可能なメモリ媒体、この実施例の場合にはマルチメディアＣＤ-ＲＯＭ１０をＣＤ-ＲＯＭの書込みのために機器９に挿入し、またボタン“ＣＤ-ＲＯＭへの記憶”の能動化により相応のそれ自体は知られているＣＤ-ＲＯＭ１０の書込みのためのプログラムを能動化するだけでよく、その結果記録リストに存在している画像データセット、説明を有するデータセットおよびパラメータデータセットが、種々のデータセットに含まれている画像および説明を再生するための選択されたコンピュータプログラムと一緒にＣＤ-ＲＯＭ１０のいわゆるバーニングによりＣＤ-ＲＯＭ１０にディジタルに記憶される。記録方法は最後に記憶の後にボタン“終了”を押すことにより終了される。
【００２６】
ＣＤ-ＲＯＭ１０は最後に、患者のその後の処置のために画像情報を必要とする他の医師に簡単に伝達することができる。ＣＤ-ＲＯＭ１０に記憶された情報を再生するために、医師は図５中に示されているように、なかんずくＣＤ-ＲＯＭドライブ機構５２、表示装置５３およびスピーカ５４を有する相応の能力を有する計算機５１を必要とするだけである。ＣＤ-ＲＯＭ１０に画像データ、説明を有するデータセットおよびパラメータデータセットだけでなく、これらのデータセットに記憶されている情報を再生するための相応のコンピュータプログラムも存在しているので、医師は情報を再生するために特別なプログラムを必要としない。医師は情報を再生するためにコンピュータプログラムを能動化するだけでよい。この実施例の場合には医師は第１のコンピュータプログラムを能動化し、それに基づいて医師は、“開始”、“停止”、“進み”、“戻り”および“中断”のような操作要素が医師に指示される開始サイドに到達する。医師がボタン“開始”を押すと、再生のために一緒に供給されるコンピュータプログラムの能動化のもとに、記録された情報の再生が開始され、第１の画像がオーディオデータセットに記憶されている説明の再生のもとに、図示されていない仕方で表示される。医師がボタン“進み”を押すと、医師は第２の画像に到達し、その表示の際に、先に記憶されたように、矢印５０が第２の画像の画像内容を経てスライドし、第１の画像内容の色が変わり、第２の画像内容がズームされる。この状況は第２の画像に対して患者の２つの腎臓５７、５８の撮影を示す図５に概要を示されている。この図には、どのように矢印５０が曲線経過５９に沿ってその開始位置６０からその終位置６１へ運動するかが示されている。第１の画像内容としての腎臓５７はその際に図示されていない仕方で色が変わる。第２の画像内容としての腎臓５８はズームされており、その後に拡大されて表示される。
【００２７】
さらにボタン“進み”の能動化により最後に画像の列がフィルムとして再生され得る。その際に相応の説明が表示される。
【００２８】
医師は再生の際に、ボタン“停止”により再生を停止し、ボタン“進み”または“戻り”の能動化により１つの画像から他の画像へ跳躍し、またはボタン“中断”の能動化により画像再生を終了することができる。
【００２９】
ところで、文書化された医用画像情報を発生するための方法の以上に説明された経過は単に例として理解されるべきである。従って経過は以上に説明と異なる経過であってもよい。専門医は、どの画像を記録リストに付加するか、またどのようにして画像についての説明を与えるかは自由であり、ここで説明とは、文字による説明、オーディオデータセットに記録された音による説明、グラフィックな標識の形態での説明、医用画像情報の表示のダイナミックな変化の形態での説明または画像列の形態での説明として理解され、これらの説明は任意に互いに組み合わせることができる。専門医はそのために、図４中に示されているメニュー点と異なるメニュー点をも記録リストを編成するために利用し得る。
【００３０】
さらに、必ずしも最初にすべての記録リストが作成され、データセットがその後に初めて機械読取り可能なメモリ媒体に記憶されなくてもよい。それどころか、場合によっては互いに結び付けられた複数のデータセットが作成され、次第にその作成に関係して機械読取り可能なメモリ媒体に記憶されてもよい。さらに、既に暗示されたように、画像データおよび説明を含んでいるただ１つの記録データセットのみを発生し、これらを機械読取り可能なメモリ媒体に記憶することも可能である。
【００３１】
画像情報および（または）説明を再生するためのコンピュータプログラムを選択し、機械読取り可能なメモリ媒体に記憶することも必ずしも必要ではない。それどころか、もし取決められているならば、１つの標準プログラムを再生のために使用することが完全に放棄され得るし、または、どのコンピュータプログラムにより再生が実現され得るかが簡単に示され得る。
【００３２】
機械読取り可能なメモリ媒体は必ずしもＣＤ-ＲＯＭまたはマルチメディアＣＤ-ＲＯＭでなくてもよい。それどころか記録データセットを記憶するための他の、特に容易に運搬可能な機械読取り可能なメモリ媒体、たとえばＭＯＤ（マグネトオプティカルディスク）または磁気メモリ一般、も適している。
【００３３】
医用装置は同じく必ずしも磁気共鳴装置でなくてもよい。それどころか医用装置はＸ線コンピュータトモグラフ、Ｘ線装置、超音波装置または他の撮像モダリティであってよい。
【図面の簡単な説明】
【００３４】
【図１】文書化された画像情報を発生するための装置を有する医用装置。
【図２】文書化された画像情報の発生の進行過程を示す流れ図。
【図３】文書化された医用画像情報を発生するためのプログラムの画像スクリーンマスクの概要図。
【図４】文書化された医用画像情報を発生するためのプログラムの画像スクリーンマスクの概要図。
【図５】文書化された画像情報に対する再生装置。
【符号の説明】
【００３５】
１  磁気共鳴装置
２  文書化された画像情報を作るための装置
３  計算機
４  表示装置
５  ハードディスク
６  キーボード
７  コンピュータマウス
８  マイクロフフォン
９  データを書き込むための装置
１０  ＣＤ-ＲＯＭ
１１  スピーカ
２０
５０  矢印
５１  計算機
５２  ＣＤ-ＲＯＭドライブ機構
５３  表示装置
５４  スピーカ
５７  腎臓
５８  腎臓
５９  曲線経過
６０  開始位置
６１  終位置
【図１】
2004522530.tif 000003
【図２】
2004522530.tif 000004
【図３】
2004522530.tif 000005
【図４】
2004522530.tif 000006
【図５】
2004522530.tif 000007
【国際公開パンフレット】
2004522530.tif 000008
2004522530.tif 000009
2004522530.tif 000010
2004522530.tif 000011
2004522530.tif 000012
2004522530.tif 000013
2004522530.tif 000014
2004522530.tif 000015
2004522530.tif 000016
2004522530.tif 000017
2004522530.tif 000018
2004522530.tif 000019
2004522530.tif 000020
2004522530.tif 000021
2004522530.tif 000022
2004522530.tif 000023
2004522530.tif 000024
2004522530.tif 000025
2004522530.tif 000026
2004522530.tif 000027
2004522530.tif 000028
2004522530.tif 000029
2004522530.tif 000030
2004522530.tif 000031
【国際公開パンフレット（コレクトバージョン）】
2004522530.tif 000032
2004522530.tif 000033
【国際調査報告】
2004522530.tif 000034
2004522530.tif 000035
2004522530.tif 000036
2004522530.tif 000037
2004522530.tif 000038
2004522530.tif 000039